(57)【要約】【課題】縦向きの制御基板を有する電装品アセンブリ、及び、冷媒回路を構成する冷媒管を流れる冷媒によって制御基板に実装された電装品の一部を冷却する冷媒ジャケット、をケーシング内に配置した構造を採用した室外ユニットにおいて、電装品アセンブリをケーシングから取り外す際の作業性を向上させる。【解決手段】冷媒ジャケット（２１）は、冷媒回路（６）を構成する冷媒管（１６）及び電装品アセンブリ（２０）に着脱可能に接合されている。電装品アセンブリ（２０）は、冷媒ジャケット（２１）及び冷媒管（１６）のうち冷媒ジャケットに接合される部分（１６ａ）を覆っており、下向き又は横向きに開閉可能な電装品カバー（２７）をさらに有している。【選択図】図６
2017161120.tif 000002
【特許請求の範囲】
【請求項１】
冷媒回路（６）を有する空気調和装置（１）を構成する室外ユニットにおいて、
ケーシング（４０）と、
前記ケーシング内に配置されており、縦向きの制御基板（２２、２３）を有する電装品アセンブリ（２０）と、
前記ケーシング内に配置されるとともに、前記冷媒回路を構成する冷媒管（１６）及び前記電装品アセンブリに着脱可能に接合されており、前記冷媒管を流れる冷媒によって前記制御基板に実装された電装品の一部を冷却する冷媒ジャケット（２１）と、
を備えており、
前記電装品アセンブリは、前記冷媒ジャケット及び前記冷媒管のうち前記冷媒ジャケットに接合される部分を覆っており、下向き又は横向きに開閉可能な電装品カバー（２７）をさらに有している、
室外ユニット（２）。
【請求項２】
前記電装品アセンブリは、前記電装品カバーを開状態で維持するカバーストッパー（２４ｃ、２７ｅ）をさらに有している、
請求項１に記載の室外ユニット。
【請求項３】
前記電装品アセンブリは、端子台（２９ａ、２９ｂ）をさらに有しており、
前記端子台は、前記電装品カバーに設けられている、
請求項１又は２に記載の室外ユニット。
【請求項４】
前記冷媒管のうち前記冷媒ジャケットに接合された部分は、横向きのＵ字形状を有している、
請求項１〜３のいずれか１項に記載の室外ユニット。
【請求項５】
前記電装品カバーは、横向きに開閉可能である、
請求項１〜４のいずれか１項に記載の室外ユニット。
【請求項６】
前記電装品アセンブリは、前記ケーシングの上部空間内に配置されている、
請求項１〜５のいずれか１項に記載の室外ユニット。
【発明の詳細な説明】
【技術分野】
【０００１】
本発明は、室外ユニット、特に、冷媒回路を有する空気調和装置を構成する室外ユニットに関する。
【背景技術】
【０００２】
従来より、冷媒回路を有する空気調和装置を構成する室外ユニットがある。このような室外ユニットでは、特許文献１（特開２０１０−１９７０３１号公報）に示すように、縦向きの制御基板を有する電装品アセンブリと、制御基板に実装された電装品の一部（パワー素子等）を冷却する冷媒ジャケットと、がケーシング内に配置されることがある。ここで、冷媒ジャケットは、冷媒回路を構成する冷媒管及び電装品アセンブリに着脱可能に接合されており、冷媒管を流れる冷媒によって制御基板に実装された電装品の一部を冷却するようになっている。また、特許文献１の室外ユニットでは、冷媒ジャケット及び冷媒管のうち冷媒ジャケットに接合される部分を覆う電装品カバーが上向きに開閉可能になるように電装品アセンブリに設けられている。
【発明の概要】
【発明が解決しようとする課題】
【０００３】
上記特許文献１の室外ユニットでは、メンテナンス等の際に電装品アセンブリをケーシングから取り外す場合に、電装品カバーを開き、冷媒ジャケットに接合された冷媒管を電装品アセンブリから取り外し、電装品アセンブリを取り付け位置から上方に移動させる作業が行われる。
【０００４】
ここで、電装品アセンブリは、空調能力が大きくなると、重量が大きくなる傾向にある。このため、電装品アセンブリをケーシングから取り外す場合に電装品アセンブリを取り付け位置から上方に移動させる作業は、作業者にとって負担になることから、極力避けられるべきである。
【０００５】
しかし、特許文献１の室外ユニットでは、上向きに開閉可能な電装品カバーが電装品アセンブリに設けられている。このため、電装品アセンブリをケーシングから取り外す場合には、冷媒ジャケットに接合される冷媒管と電装品カバーとの干渉を避けるために、電装品アセンブリを取り付け位置から上方に移動させる作業を行っているのである。
【０００６】
本発明の課題は、縦向きの制御基板を有する電装品アセンブリ、及び、冷媒回路を構成する冷媒管を流れる冷媒によって制御基板に実装された電装品の一部を冷却する冷媒ジャケット、をケーシング内に配置した構造を採用した室外ユニットにおいて、電装品アセンブリをケーシングから取り外す際の作業性を向上させることにある。
【課題を解決するための手段】
【０００７】
第１の観点にかかる室外ユニットは、冷媒回路を有する空気調和装置を構成する室外ユニットにおいて、ケーシングと、電装品アセンブリと、冷媒ジャケットと、を有している。電装品アセンブリは、ケーシング内に配置されており、縦向きの制御基板を有している。冷媒ジャケットは、ケーシング内に配置されるとともに、冷媒回路を構成する冷媒管及び電装品アセンブリに着脱可能に接合されており、冷媒管を流れる冷媒によって制御基板に実装された電装品の一部を冷却する。そして、ここでは、電装品アセンブリは、冷媒ジャケット及び冷媒管のうち冷媒ジャケットに接合される部分を覆っており、下向き又は横向きに開閉可能な電装品カバーをさらに有している。
【０００８】
ここでは、電装品カバーを開き、冷媒ジャケットに接合された冷媒管を電装品アセンブリから取り外した状態で、冷媒ジャケットに接合される冷媒管と電装品カバーとの干渉を避けつつ、電装品アセンブリを取り付け位置から下方に移動させることができる。このため、ここでは、上向きに開閉可能な電装品カバーが電装品アセンブリに設けられた従来の構造とは異なり、電装品アセンブリを取り付け位置から上方に移動させる作業を行わなくても、電装品アセンブリをケーシングから取り外す作業を行うことを可能にできる。
【０００９】
これにより、ここでは、縦向きの制御基板を有する電装品アセンブリ、及び、冷媒回路を構成する冷媒管を流れる冷媒によって制御基板に実装された電装品の一部を冷却する冷媒ジャケット、をケーシング内に配置した構造を採用した室外ユニットにおいて、電装品アセンブリをケーシングから取り外す際の作業性を向上させることができる。
【００１０】
第２の観点にかかる室外ユニットは、第１の観点にかかる室外ユニットにおいて、電装品アセンブリが、電装品カバーを開状態で維持するカバーストッパーをさらに有している。
【００１１】
これにより、ここでは、電装品カバーを下向き又は横向きに開いた状態で維持することができるようになり、電装品アセンブリをケーシングから取り外す際の作業性をさらに向上させることができる。
【００１２】
第３の観点にかかる室外ユニットは、第１又は第２の観点にかかる室外ユニットにおいて、電装品アセンブリが、端子台をさらに有しており、端子台が、電装品カバーに設けられている。
【００１３】
上向きに開閉可能な電装品カバーが電装品アセンブリに設けられている従来の構造では、電装品アセンブリをケーシングから取り外す場合に電装品アセンブリを取り付け位置から上方に移動させる作業を行っているため、端子台が電装品カバーに設けられると、端子台に電気配線を取り付けたままでは、電装品アセンブリをケーシングから取り外すことが困難になる。
【００１４】
これに対して、ここでは、上記のように、下向き又は横向きに開閉可能な電装品カバーが電装品アセンブリに設けられているため、電装品アセンブリをケーシングから取り外す場合に、端子台に電気配線を取り付けたままでも、電装品アセンブリをケーシングから取り外すことが可能になる。
【００１５】
これにより、ここでは、端子台が電装品カバーに設けられているにもかかわらず、電装品アセンブリをケーシングから取り外す際の作業性を向上させることができる。
【００１６】
第４の観点にかかる室外ユニットは、第１〜第３の観点のいずれかにかかる室外ユニットにおいて、冷媒管のうち冷媒ジャケットに接合された部分が、横向きのＵ字形状を有している。
【００１７】
上向きに開閉可能な電装品カバーが電装品アセンブリに設けられている従来の構造では、冷媒管のうち冷媒ジャケットに接合された部分が横向きのＵ字形状を有していると、電装品アセンブリをケーシングから取り外す場合に、冷媒ジャケットに接合される冷媒管と電装品カバーとの干渉を避けることがさらに難しくなる。
【００１８】
これに対して、ここでは、上記のように、下向き又は横向きに開閉可能な電装品カバーが電装品アセンブリに設けられているため、電装品アセンブリをケーシングから取り外す場合に、冷媒ジャケットに接合される冷媒管と電装品カバーとの干渉を避けることができる。
【００１９】
これにより、ここでは、冷媒管のうち冷媒ジャケットに接合された部分が横向きのＵ字形状を有しているにもかかわらず、電装品アセンブリをケーシングから取り外す際の作業性を向上させることができる。
【００２０】
第５の観点にかかる室外ユニットは、第１〜第４の観点のいずれかにかかる室外ユニットにおいて、電装品カバーが、横向きに開閉可能である。
【００２１】
ここでは、電装品アセンブリをケーシングから取り外す場合に、冷媒ジャケットに接合される冷媒管と電装品カバーとの干渉を避けつつ、電装品アセンブリを取り付け位置から下方にも上方にも移動させることができ、取り付け位置からの移動の自由度を高めることができる。
【００２２】
これにより、ここでは、電装品カバーが下向きに開閉可能な場合に比べて、電装品アセンブリをケーシングから取り外す際の作業性をさらに向上させることができる。
【００２３】
第６の観点にかかる室外ユニットは、第１〜第５の観点のいずれかにかかる室外ユニットにおいて、電装品アセンブリが、ケーシングの上部空間内に配置されている。
【００２４】
上向きに開閉可能な電装品カバーが電装品アセンブリに設けられている従来の構造では、電装品アセンブリがケーシングの上部空間内に配置されていると、電装品アセンブリをケーシングから取り外す場合に、電装品アセンブリを取り付け位置から上方に移動させる作業を行うこと自体が難しくなる。
【００２５】
これに対して、ここでは、上記のように、下向き又は横向きに開閉可能な電装品カバーが電装品アセンブリに設けられているため、電装品アセンブリをケーシングから取り外す場合に、電装品アセンブリを取り付け位置から上方に移動させる作業を行わずに済ませることができる。
【００２６】
これにより、ここでは、電装品アセンブリがケーシングの上部空間内に配置されているにもかかわらず、電装品アセンブリをケーシングから取り外す際の作業性を向上させることができる。
【発明の効果】
【００２７】
以上の説明に述べたように、本発明によれば、縦向きの制御基板を有する電装品アセンブリ、及び、冷媒回路を構成する冷媒管を流れる冷媒によって制御基板に実装された電装品の一部を冷却する冷媒ジャケット、をケーシング内に配置した構造を採用した室外ユニットにおいて、電装品アセンブリをケーシングから取り外す際の作業性を向上させることができる。
【図面の簡単な説明】
【００２８】
【図１】本発明の一実施形態にかかる室外ユニットが採用された空気調和装置の概略構成図である。
【図２】室外ユニットの外観斜視図である。
【図３】室外ユニットの平面図（天板と、圧縮機及び室外熱交換器以外の冷媒回路構成部品と、を取り除いて図示）である。
【図４】室外ユニットの前面図（左右前板と、圧縮機、室外熱交換器及び冷媒ジャケットに接合される液冷媒管以外の冷媒回路構成部品と、を取り除いて図示）である。
【図５】室外ユニットの電装品アセンブリ付近（電装品カバーを閉じた状態）を示す斜視図である。
【図６】室外ユニットの電装品アセンブリ付近（電装品カバーを開いた状態）を示す斜視図である。
【図７】冷媒ジャケット、液冷媒管、電装品アセンブリの接合状態を示す側面断面図である。
【図８】図５、６のＡ部の拡大図である。
【図９】電装品アセンブリをケーシングから取り外す様子を示す側面図である。
【図１０】変形例にかかる電装品アセンブリを示す図であって図６に対応する図である。
【発明を実施するための形態】
【００２９】
以下、本発明にかかる室外ユニットの実施形態及びその変形例について、図面に基づいて説明する。尚、本発明にかかる室外ユニットの具体的な構成は、下記の実施形態及びその変形例に限られるものではなく、発明の要旨を逸脱しない範囲で変更可能である。
【００３０】
（１）空気調和装置の構成
図１は、本発明の一実施形態にかかる室外ユニット２が採用された空気調和装置１の概略構成図である。
【００３１】
空気調和装置１は、蒸気圧縮式の冷凍サイクルを行うことによって、建物等の室内の冷房や暖房を行うことが可能な装置である。空気調和装置１は、主として、室外ユニット２と、室内ユニット３とが接続されることによって構成されている。ここで、室外ユニット２と室内ユニット３とは、液冷媒連絡管４及びガス冷媒連絡管５を介して接続されている。すなわち、空気調和装置１の蒸気圧縮式の冷媒回路６は、室外ユニット２と、室内ユニット３とが冷媒連絡管４、５を介して接続されることによって構成されている。また、この冷媒回路６には、Ｒ３２等の冷媒が封入されている。
【００３２】
室内ユニット３は、室内に設置されており、冷媒回路６の一部を構成している。室内ユニット３は、主として、室内熱交換器１９を有している。
【００３３】
室外ユニット２は、室外に設置されており、冷媒回路６の一部を構成している。室外ユニット２は、主として、圧縮機７と、四路切換弁１０と、室外熱交換器１１と、膨張弁１２と、液側閉鎖弁１３と、ガス側閉鎖弁１４と、室外ファン１５と、を有している。室外熱交換器１１の液側端と液側閉鎖弁１３とは、液冷媒管１６によって接続されている。液冷媒管１６には、膨張弁１６が設けられている。また、液冷媒管１６には、冷媒ジャケット２１が接合されている。冷媒ジャケット２１は、液冷媒管１６を流れる冷媒によって、後述の電装品アセンブリ２０に設けられた電装品の一部を冷却する熱交換器である。ここで、液冷媒管１６のうち冷媒ジャケット２１に接合される部分を液冷媒管１６ａとする。
【００３４】
冷媒連絡管４、５は、空気調和装置１を建物等の設置場所に設置する際に、現地にて施工される冷媒管である。
【００３５】
このような冷媒回路６を有する空気調和装置１は、冷房時において、圧縮機７、放熱器としての室外熱交換器１１、膨張弁１２、蒸発器としての室内熱交換器１９の順に冷媒を循環させる冷凍サイクルを行うようになっており、この際に、冷媒ジャケット２１が、液冷媒管１６を流れる冷媒によって電装品アセンブリ２０に実装された電装品の一部を冷却するようになっている。また、空気調和装置１は、暖房時において、圧縮機７、放熱器としての室内熱交換器１９、膨張弁１２、蒸発器としての室外熱交換器１１の順に冷媒を循環させる冷凍サイクルを行うようになっており、この際にも、冷媒ジャケット２１が、液冷媒管１６を流れる冷媒によって電装品アセンブリ２０に実装された電装品の一部を冷却するようになっている。
【００３６】
（２）室外ユニットの構成
＜全体＞
図２は、室外ユニット２の外観斜視図である。図３は、室外ユニット２の平面図（天板４２と、圧縮機７、室外熱交換器１１以外の冷媒回路構成部品と、を取り除いて図示）である。図４は、室外ユニット２の前面図（左右前板４３、４４と、圧縮機７、室外熱交換器１１及び冷媒ジャケット２１に接合される液冷媒管１６以外の冷媒回路構成部品と、を取り除いて図示）である。
【００３７】
室外ユニット２は、略直方体箱状のケーシング４０の内部が鉛直に延びる仕切板４８により送風機室Ｓ１と機械室Ｓ２とに分割されたトランク型の構造と呼ばれるものである。室外ユニット２は、主として、略直方体箱状のケーシング４０と、室外ファン１５と、圧縮機７や室外熱交換器１１等の機器、膨張弁１２等の弁、及び、液冷媒管１６等の冷媒管を含み冷媒回路６の一部を構成する冷媒回路構成部品と、室外ユニット２内の機器や弁の制御等に使用される電装品が設けられた電装品アセンブリ２０と、を有している。尚、以下の説明において、「上」、「下」、「左」、「右」、「前」、「後」、「前面」、「背面」は、特にことわりのない限り、図２に示される室外ユニット２を前方から見た場合の方向を意味している。
【００３８】
＜ケーシング＞
ケーシング４０は、主として、底フレーム４１と、天板４２と、左前板４３と、右前板４４と、右側板４５と、を有している。
【００３９】
底フレーム４１は、ケーシング４０の底面部分を構成する横長の略長方形状の板状部材である。底フレーム４１の下面には、現地設置面に固定される２つの固定脚４６が設けられている。
【００４０】
天板４２は、ケーシング４０の天面部分を構成する横長の略長方形状の板状部材である。
【００４１】
左前板４３は、主として、ケーシング４０の左前面部分及び左側面部分を構成する板状部材であり、その下部が底フレーム４１にネジ等により固定されている。左前板４３には、室外ファン１５によってケーシング４０内に吸入される空気の吸入口４３ａが形成されている。また、左前板４３には、室外ファン１５によってケーシング４０の背面側及び左側面側から内部に取り込まれた空気を外部に吹き出すための吹出口４３ｂが設けられている。吹出口４３ｂは、ここでは、上下２つ形成されており、それぞれにファングリル４７が設けられている。
【００４２】
右前板４４は、主として、ケーシング４０の右前面部分及び右側面の前部を構成する板状部材であり、その下部が底フレーム４１にネジ等により固定されている。また、右前板４４は、その左端部が左前板４３の右端部にネジ等により固定されている。
【００４３】
右側板４５は、主として、ケーシング４０の右側面の後部及び右背面部分を構成する板状部材であり、その下部が底フレーム４１にネジ等により固定されている。そして、左前板４３の後端部と右側板４５の背面側端部と左右方向間には、室外ファン１５によってケーシング４０内に吸入される空気の吸入口４３ｃが形成されている。
【００４４】
また、ケーシング４０内には、仕切板４８が設けられている。仕切板４８は、底フレーム４１上に配置される鉛直に延びる板状部材であり、ケーシング４０の内部を左右２つの空間に仕切るように配置されている。仕切板４８は、ケーシング４０を上方から見た際に、左前板４３の右端部から背面側に向かって延びており、ケーシング４０の左側面から背面に沿うように配置された略Ｌ字形状の室外熱交換器１１の右端面まで達している。左前板４３の右端部は、仕切板４８の前端部にネジ等により固定されている。
【００４５】
このように、ケーシング４０は、その内部が仕切板４８により送風機室Ｓ１と機械室Ｓ２とに分割されている。より具体的には、送風機室Ｓ１は、底フレーム４１と、天板４２と、左前板４３と、仕切板４８とによって囲まれた空間であり、主として、室外ファン１５や室外熱交換器１１が配置されている。機械室Ｓ２は、底フレーム４１と、天板４２と、右前板４４と、右側板４５と、仕切板４８とによって囲まれた空間であり、主として、室外熱交換器１１以外の冷媒回路構成部品及び電装品アセンブリ２０が配置されている。そして、ケーシング４０では、右前板４４を取り外すことによって、機械室Ｓ２の内部が見えるようになっており、室外ユニット２の機械室Ｓ２内に収容された冷媒回路構成部品や電装品アセンブリ２０のメンテナンス等の作業を行えるようになっている。
【００４６】
＜室外ファン＞
室外ファン１５は、プロペラファンであり、送風機室Ｓ１内の室外熱交換器１１の前側に配置されている。ここでは、室外ファン１５は、吹出口４３ｂに対向するように、送風機室Ｓ１内に上下２つ配置されている。
【００４７】
＜電装品アセンブリ＞
電装品アセンブリ２０は、縦向きの制御基板２２、２３を有しており、ケーシング４０内に配置されている。ここでは、電装品アセンブリ２０は、機械室Ｓ２の上部空間において、第１制御基板２２の基板面がケーシング４０の前面に対向するように配置されている。第２制御基板２３は、第１制御基板２２の背面側に配置されている。尚、電装品アセンブリ２０の構成については、次の項目（３）にて詳述する。
【００４８】
＜冷媒回路構成部品＞
圧縮機７は、ハウジング内に冷媒を圧縮するための圧縮機構及び圧縮機構を回転駆動するためのモータが収容された密閉型圧縮機であり、機械室Ｓ２内に配置されている。ここでは、圧縮機７は、縦型の略円筒形状であり、底フレーム４１上に設けられている。
【００４９】
室外熱交換器１１は、送風機室Ｓ１内に配置されており、室外ファン１５によってケーシング４０内に取り込まれた空気との間で熱交換を行う。室外熱交換器１１は、ケーシング４０を上方から見た際に、略Ｌ字形状を有し、ケーシング４０の左側面から背面に沿うように配置されている。
【００５０】
冷媒ジャケット２１は、ケーシング４０内に配置されており、電装品アセンブリ２０に着脱可能に接合されている。ここでは、冷媒ジャケット２１は、機械室Ｓ２の上部空間において、第１制御基板２２の下側の第２制御基板２３の基板面に対向するように配置されている。そして、冷媒ジャケット２１には、冷媒回路６を構成する液冷媒管１６が着脱可能に接合されている。液冷媒管１６は、全体としては、機械室Ｓ２内を上下方向に折り返すように配置されており、その上端の折り返し部分１６ａが横向きのＵ字形状を有している。この液冷媒管１６の折り返し部分１６ａは冷媒ジャケット２１に接合されている。尚、冷媒ジャケット２１の構成については、次の項目（３）にて詳述する。
【００５１】
（３）冷媒ジャケット及び電装品アセンブリの構成
次に、冷媒ジャケット２１及び電装品アセンブリ２０の構成について、図３〜図８を用いて説明する。ここで、図５は、室外ユニット２の電装品アセンブリ２０付近（電装品カバー２７を閉じた状態）を示す斜視図である。図６は、室外ユニット２の電装品アセンブリ２０付近（電装品カバー２７を開いた状態）を示す斜視図である。図７は、冷媒ジャケット２１、液冷媒管１６（１６ａ）、電装品アセンブリ２０の接合状態を示す断面図である。図８は、図５、６のＡ部の拡大図である。
【００５２】
電装品アセンブリ２０は、仕切板４８にネジ等によって固定されており、主として、ケーシング４０の前面に対向して略四角形状の面を有する本体部２４を有している。本体部２４の上端は、ケーシング４０の天板４２付近に位置している。本体部２４の前面側には、第１制御基板２２が設けられており、本体部２４の背面側には、第２制御基板２３が設けられている。第１制御基板２２は、本体部２４の上部寄りの位置に配置されており、図示は省略するが、試運転時やメンテナンス時に作業者が操作するための電装品や制御動作状況を表示可能な電装品等が実装されている。第２制御基板２３は、本体部の下部寄りの位置に配置されており、コンデンサ（図示せず）やノイズフィルタ（図示せず）、圧縮機７や室外ファン１５の制御に使用されるパワー素子２３ａ、２３ｂが実装されている。ここで、コンデンサやノイズフィルタは、第２制御基板２３の上部に実装され、パワー素子２３ａ、２３ｂは、第２制御基板２３の下部に実装されている。より具体的には、パワー素子２３ａ、２３ｂは、第２制御基板２３の下部のうちケーシング４０の前方から見た際に第１制御基板２２とは重ならない部分に配置されており、第２制御基板２３の前面に実装されている。パワー素子２３ａ、２３ｂの前面には、伝熱板２５が接合されている。より具体的には、伝熱板２５は、本体部２４の下部に設けられた金属製の平板状の部材であり、その背面にパワー素子２３ａ、２３ｂが接合されている。また、本体部２４の背面側には、第２制御基板２３の周囲を囲む略角筒形状の筒状部２６が形成されており、筒状部２６の上面には、リアクタ２６ａ、２６ｂが設けられている。
【００５３】
伝熱板２５の前面には、冷媒ジャケット２１が着脱可能に接合されている。冷媒ジャケット２１は、伝熱板２５にネジ等によって固定されている。冷媒ジャケット２１は、金属製の平板状の部材であり、液冷媒管１６の横向きのＵ字形状をなす折り返し部分１６ａが着脱可能に接合されている。より具体的には、冷媒ジャケット２１の前面には、折り返し部分１６ａを嵌め込むことが可能な２つの溝部２１ａが形成されており、これらの溝部２１ａに折り返し部分１６ａが嵌め込まれている。尚、冷媒ジャケット２１の伝熱板２５への接合や液冷媒管１６（１６ａ）の冷媒ジャケット２１への接合の手法は、ネジ止めや嵌め込みに限定されるものではなく、他の手法であってもよい。
【００５４】
電装品アセンブリ２０には、冷媒ジャケット２１及び液冷媒管１６のうち冷媒ジャケット２１に接合される部分１６ａの前面側を覆う電装品カバー２７が設けられている。より具体的には、電装品カバー２７は、本体部２４の前面において、第１制御基板２２よりも下方に設けられており、冷媒ジャケット２１及び液冷媒管１６のうち冷媒ジャケット２１に接合される部分１６ａの前面側に対向する部分を覆っている。電装品カバー２７は、主として、冷媒ジャケット２１及び液冷媒管１６のうち冷媒ジャケット２１に接合される部分１６ａの前面側に対向する横長の略四角形状のカバー前面部２７ａと、カバー前面部２７ａの右側板４５寄りの端部から背面側に向かって延びるカバー把手部２７ｂと、を有している。電装品カバー２７は、カバー回動部２８ａ、２８ｂによって、本体部２４に対して、カバー前面部２７ａの仕切板４８寄りの端部の位置を支点にして横向きに開閉可能に構成されている（図６の矢印参照）。ここで、カバー回動部２８ａ、２８ｂは、電装品アセンブリ２０の本体部２４に形成された軸支部２４ａ、２４ｂと、電装品カバー２７の仕切板４８寄りの端部に形成されており軸支部２４ａ、２４ｂにピン結合される被軸支部２７ｃ、２７ｄと、を有している。軸支部２４ａ及び被軸支部２７ｃは、カバー前面部２７ａの上端側に設けられており、軸支部２４ｂ及び被軸支部２７ｄは、カバー前面部２７ａの下端側に設けられている。
【００５５】
また、ここでは、軸支部２４ａ及び被軸支部２７ｃに、電装品カバー２７を閉じた状態において互いが係合し、電装品カバー２７を開いた状態において互いが係合せずに閉状態への回動が制限されるように機能する凹部２４ｃ、２７ｅが形成されている。ここでは、図８に示すように、電装品カバー２７を開いた状態において、凹部２４ｃが軸支部２４ａの端部に当接することによって、閉状態への回動が制限される。このように、電装品アセンブリ２０には、電装品カバー２７を開状態で維持するカバーストッパー（ここでは、凹部２４ｃ、２７ｅが対応）が設けられている。尚、電装品カバー２７を開状態で維持するカバーストッパー機能については、上記のような凹部２４ｃ、２７ｅによるものに限定されるものではなく、他の構成であってもよい。
【００５６】
また、電装品アセンブリ２０は、電気配線が接続される端子台２９ａ、２９ｂを有しており、端子台２９ａ、２９ｂは、電装品カバー２７に設けられている。より具体的には、端子台２９ａ、２９ｂは、カバー前面部２７ａの前面に設けられている。
【００５７】
（４）室外ユニットの特徴
本実施形態の電装品アセンブリ２０が設けられた室外ユニット２には、以下のような特徴がある。
【００５８】
＜Ａ＞
ここでは、上記のように、電装品アセンブリ２０が、冷媒ジャケット２１及び冷媒管（ここでは、液冷媒管１６）のうち冷媒ジャケット２１に接合される部分を覆う電装品カバー２７が横向きに開閉可能である。
【００５９】
このため、ここでは、図９に示すように、電装品カバー２７を開き、冷媒ジャケット２１に接合された液冷媒管１６（１６ａ）を電装品アセンブリ２０から取り外した状態で、冷媒ジャケット２１に接合される冷媒管１６ａと電装品カバー２７との干渉を避けつつ、電装品アセンブリ２０を取り付け位置から下方に移動させることができる。このため、ここでは、上向きに開閉可能な電装品カバーが電装品アセンブリに設けられた従来の構造とは異なり、電装品アセンブリ２０を取り付け位置から上方に移動させる作業を行わなくても、電装品アセンブリ２０をケーシング４０から取り外す作業を行うことを可能にできる。
【００６０】
これにより、ここでは、縦向きの制御基板２２、２３を有する電装品アセンブリ２０、及び、冷媒回路６を構成する冷媒管１６（１６ａ）を流れる冷媒によって制御基板２３に実装された電装品の一部（ここでは、パワー素子２３ａ、２３ｂ）を冷却する冷媒ジャケット２１、をケーシング４０内に配置した構造を採用した室外ユニット２において、電装品アセンブリ２０をケーシング４０から取り外す際の作業性を向上させることができる。
【００６１】
特に、ここでは、上記のように、電装品カバー２７が横向きに開閉可能であるため、電装品アセンブリ２０をケーシング４０から取り外す場合に、冷媒ジャケット２１に接合される液冷媒管１６ａと電装品カバー２７との干渉を避けつつ、電装品アセンブリ２０を取り付け位置から下方にも上方にも移動させることができ、取り付け位置からの移動の自由度を高めることができる。
【００６２】
これにより、ここでは、電装品カバー２７が下向きに開閉可能な場合（後述の図１０に示された変形例を参照）に比べて、電装品アセンブリ２０をケーシング４０から取り外す際の作業性をさらに向上させることができる。
【００６３】
＜Ｂ＞
ここでは、上記のように、電装品アセンブリ２０が、電装品カバー２７を開状態で維持するカバーストッパー（ここでは、凹部２４ｃ、２７ｅ）を有している。
【００６４】
これにより、ここでは、電装品カバー２７を横向きに開いた状態で維持することができるようになり、電装品アセンブリ２０をケーシング４０から取り外す際の作業性をさらに向上させることができる。
【００６５】
＜Ｃ＞
ここでは、上記のように、電装品アセンブリ２０が、端子台２９ａ、２９ｂをさらに有しており、端子台２９ａ、２９ｂが、電装品カバー２７に設けられている。
【００６６】
ここで、上向きに開閉可能な電装品カバーが電装品アセンブリに設けられている従来の構造では、電装品アセンブリをケーシングから取り外す場合に電装品アセンブリを取り付け位置から上方に移動させる作業を行っているため、端子台が電装品カバーに設けられると、端子台に電気配線を取り付けたままでは、電装品アセンブリをケーシングから取り外すことが困難になる。
【００６７】
これに対して、ここでは、上記のように、横向きに開閉可能な電装品カバー２７が電装品アセンブリ２０に設けられているため、電装品アセンブリ２０をケーシング４０から取り外す場合に、端子台２９ａ、２９ｂに電気配線を取り付けたままでも、電装品アセンブリ２０をケーシング４０から取り外すことが可能になる。
【００６８】
これにより、ここでは、端子台２９ａ、２９ｂが電装品カバー２７に設けられているにもかかわらず、電装品アセンブリ２０をケーシング４０から取り外す際の作業性を向上させることができる。
【００６９】
＜Ｄ＞
ここでは、上記のように、冷媒管（ここでは、液冷媒管１６）のうち冷媒ジャケット２１に接合された部分１６ａが、横向きのＵ字形状を有している。
【００７０】
ここで、上向きに開閉可能な電装品カバーが電装品アセンブリに設けられている従来の構造では、冷媒管のうち冷媒ジャケットに接合された部分が横向きのＵ字形状を有していると、電装品アセンブリをケーシングから取り外す場合に、冷媒ジャケットに接合される冷媒管と電装品カバーとの干渉を避けることがさらに難しくなる。
【００７１】
これに対して、ここでは、上記のように、横向きに開閉可能な電装品カバー２７が電装品アセンブリ２０に設けられているため、電装品アセンブリ２０をケーシング４０から取り外す場合に、冷媒ジャケット２１に接合される冷媒管１６と電装品カバー２７との干渉を避けることができる。
【００７２】
これにより、ここでは、冷媒管１６のうち冷媒ジャケット２１に接合された部分１６ａが横向きのＵ字形状を有しているにもかかわらず、電装品アセンブリ２０をケーシング４０から取り外す際の作業性を向上させることができる。
【００７３】
＜Ｅ＞
ここでは、上記のように、電装品アセンブリ２０が、ケーシング４０の上部空間内に配置されている。このため、上向きに開閉可能な電装品カバーが電装品アセンブリに設けられている従来の構造では、電装品アセンブリをケーシングから取り外す場合に、電装品アセンブリを取り付け位置から上方に移動させる作業を行うこと自体が難しくなる。
【００７４】
これに対して、ここでは、上記のように、横向きに開閉可能な電装品カバー２７が電装品アセンブリ２０に設けられているため、電装品アセンブリ２０をケーシング４０から取り外す場合に、電装品アセンブリ２０を取り付け位置から上方に移動させる作業を行わずに済ませることができる。
【００７５】
これにより、ここでは、電装品アセンブリ２０がケーシング４０の上部空間内に配置されているにもかかわらず、電装品アセンブリ２０をケーシング４０から取り外す際の作業性を向上させることができる。
【００７６】
（５）変形例
＜Ａ＞
上記実施形態においては、電装品アセンブリ２０に横向きに開閉可能な電装品カバー２７を設けているが、図１０に示すように、電装品カバー２７を下向きに開閉可能なものにしてもよい。この場合においても、上記実施形態と同様に（図９参照）、電装品アセンブリ２０をケーシング４０から取り外す際の作業性を向上させることができる。
【００７７】
＜Ｂ＞
上記実施形態では、トランク型構造の室外ユニット２に本発明を適用した例を説明したが、これに限定されるものではく、冷媒管を流れる冷媒によって電装品を冷却する冷媒ジャケットが接合される電装品アセンブリが設けられた室外ユニットであれば、本発明を適用することが可能である。
【産業上の利用可能性】
【００７８】
本発明は、冷媒回路を有する空気調和装置を構成する室外ユニットに対して、広く適用可能である。
【符号の説明】
【００７９】
１              空気調和装置
２              室外ユニット
６              冷媒回路
４０            ケーシング
２２、２３      制御基板
１６、１６ａ    液冷媒管
２１            冷媒ジャケット
２７            電装品カバー
２４ｃ、２７ｅ  凹部（カバーストッパー）
２９ａ、２９ｂ  端子台
【先行技術文献】
【特許文献】
【００８０】
【特許文献１】特開２０１０−１９７０３１号公報
【図１】
2017161120.tif 000003
【図２】
2017161120.tif 000004
【図３】
2017161120.tif 000005
【図４】
2017161120.tif 000006
【図５】
2017161120.tif 000007
【図６】
2017161120.tif 000008
【図７】
2017161120.tif 000009
【図８】
2017161120.tif 000010
【図９】
2017161120.tif 000011
【図１０】
2017161120.tif 000012